(57)【要約】      （修正有）【課題】ロックピンの位置によって暗証番号を変更可能な盗難防止固定器を提供する。【解決手段】本体１の軸方向に本体に貫通するロック栓孔１１を設け、本体１の径方向には少なくとも二つのロックピン孔１３を設け、ロックピン孔１３はロック栓孔１１に交差し連通する。ロック栓２をロック栓孔１１に挿入し、ロック栓２上にはロックピン孔１３に対応する凹部を設置し、さらに少なくとも二つのロックピン４を対応するロックピン孔１３内に挿入し、ロックピン４上には切欠溝４１を設けてロック栓２の凹部に対応させる。ロックピン４を切欠溝４１が完全にロック栓２の凹部に対応するまで回転すると、ロック栓２はロックピン４の制止を受けない状態となるため、ロック栓２を本体１から解錠させて取り出すことができる。逆の場合、ロック栓２は本体１中にロックされる。【選択図】図１
0003182129.tif 000002
【実用新案登録請求の範囲】
【請求項１】
本体とロック栓と、少なくとも二つのロックピンを備える暗証番号を変更可能な盗難防止固定器において、
前記本体は、本体に沿って相互に垂直となる軸方向と径方向を定義し、本体の軸方向上にはロック栓孔を設け、本体の径方向上には少なくとも二つのロックピン孔を設置し、前記ロックピン孔はロック栓孔に交差して連通し、
前記ロック栓は、ロック栓孔から本体内に挿入し、ロック栓上にはロックピン孔に対応する凹部を設け、
少なくとも二つの前記ロックピンは、本体のロックピン孔内に挿入し、並びに、ロックピン孔内で回転させ、ロックピン上には窪んだ形態の切欠溝を設けてロック栓の凹部に対応させ、ロックピンが切欠溝まで回転しロック栓の凹部に完全に対応した時、ロック栓はロックピンによって制止されなくなり、また、ロックピンが切欠溝まで回転し、ロック栓の凹部に完全に対応しない時、前記ロック栓の凹部内面はロックピンによって制止され、前記ロックピン上には本体の外側に露出する指示標記を設け、切欠溝の方向を指示することを特徴とする暗証番号を変更可能な盗難防止固定器。
【請求項２】
前記暗証番号を変更可能な盗難防止固定器はロック部品をさらに備え、前記ロック部品にはロック孔を設け、ロック栓孔が本体を貫通するため、ロック栓はロック栓孔の一端から本体内に挿入し、その他端から本体の外側に延伸し、且つロック孔内に挿入しロックされることを特徴とする、請求項１に記載の暗証番号を変更可能な盗難防止固定器。
【請求項３】
前記ロック部品は本体上に一体成形するブロック体であり、ロック部品上には少なくとも一つの貫通孔を設け、前記貫通孔はロック栓孔に連通することを特徴とする、請求項２に記載の暗証番号を変更可能な盗難防止固定器。
【請求項４】
前記ロック部品は本体上に一体成形するＬ形の引掛部品であることを特徴とする、請求項２に記載の暗証番号を変更可能な盗難防止固定器。
【請求項５】
前記本体のロックピン孔は円管状であり、前記ロックピンはそれに対応する円柱状であり、前記本体軸方向上には少なくとも一つの固定孔を設置し、ロックピン孔は該固定孔に交差し、並びに、ロックピン上には窪んだ形態の環形溝を設けて固定孔に対応させ、少なくとも一つの固定棒を設置して対応する該固定孔内に挿入し、これにより、ロックピンの位置を該本体内に限定し、且つロックピンをロックピン孔内で回転させることを特徴とする、請求項１に記載の暗証番号を変更可能な盗難防止固定器。
【請求項６】
前記固定孔は本体の両端を貫通し、且つ該固定孔は軸方向の断面に沿って凸字形をなして制止部を備え、前記固定棒は相対する凸字形をなし、固定孔内に挿入され、且つ制止部による制止を受け、また、固定棒の長さは本体の軸方向上の長さより短く、本体の径方向上には本体を貫通する位置限定螺着孔を設置し、該位置限定螺着孔は固定孔に交差する形態で連通し、固定棒を固定孔に挿入した後、位置限定螺着栓を位置限定螺着孔内に螺入すると固定棒は位置限定螺着栓による制止を受けて固定孔内に位置限定されることを特徴とする、請求項５に記載の暗証番号を変更可能な盗難防止固定器。
【請求項７】
前記ロックピンの切欠溝内には窪み方向に底面を形成し、前記ロックピン上の指示標記は指示標記であり、前記指示標記と底面に平行する線とによって形成される挟角は、切欠溝の方向を指示するのに用いられ、いずれか一つのロックピン上の指示標記と底面に平行する線とによって形成される挟角はそれぞれ異なるものであることを特徴とする、請求項１に記載の暗証番号を変更可能な盗難防止固定器。
【請求項８】
前記ロック栓の凹部は窪んだ溝、又は奥行きの一致する環形溝であることを特徴とする、請求項１に記載の暗証番号を変更可能な盗難防止固定器。
【請求項９】
前記ロックピン孔及びロックピンは、前記ロック栓孔の両側に対応させて設置するか、又は前記ロック栓孔に近い同一側に設置することを特徴とする、請求項１に記載の暗証番号を変更可能な盗難防止固定器。
【請求項１０】
前記本体上に備えた軸方向に垂直する内側方向のホールはロック栓孔に交差して連通し、前記ロック栓上にはホールに対応する環状切欠溝を設け、棒体を該ホール内に挿入し、且つ環状切欠溝まで延伸させることを特徴とする、請求項１に記載の暗証番号を変更可能な盗難防止固定器。
【考案の詳細な説明】
【技術分野】
【０００１】
本考案は、ロックピンの位置を変えることにより解錠暗証番号を変更する暗証番号を変更可能な盗難防止固定器に関する。
【背景技術】
【０００２】
暗証番号ロック器具は、機械式暗証番号ロック器具或いは電子式暗証番号ロック器具等を含み、使用者は解錠暗証番号を記憶しておくだけで、鍵を携帯する必要なく、ロック器具の使用上の便利性を高めることができる。本考案は機械式暗証番号ロック器具に対する改善技術である故、電子式暗証番号ロック器具に関する先行技術については説明を省く。
【０００３】
機械式暗証番号ロック器具には、特許文献１の「暗証番号錠」があるが、該特許は暗証番号ロック器具の解錠暗証番号を変更できず、使用上の安全性にも劣る。
【０００４】
また、さらに特許文献２の「暗証番号錠（３）」がある。該暗証番号ロック器具は、使用者が自由に解錠暗証番号を変更できる機能を提供するが、全体構造が複雑であるため、操作が面倒であり、使用者の購入意欲にも影響を及ぼしている。
【先行技術文献】
【特許文献】
【０００５】
【特許文献１】台湾特許第M418955号明細書
【特許文献２】台湾特許第201038807号明細書
【考案の概要】
【考案が解決しようとする課題】
【０００６】
本考案の主な課題は、解錠暗証番号を変更でき、構造が簡単で、便利な操作という特性を実現するために、暗証番号を変更可能な盗難防止固定器を提供することにある。
【課題を解決するための手段】
【０００７】
本考案の暗証番号を変更可能な盗難防止固定器は、次の構成要素を含む。
【０００８】
前記本体は、該本体に沿って相互に垂直となる軸方向と径方向を定義し、本体の軸方向上にはロック栓孔を設け、本体の径方向上には少なくとも二つのロックピン孔を設置し、該ロックピン孔はロック栓孔に交差して連通する。
【０００９】
前記ロック栓は、ロック栓孔から本体内に挿入し、ロック栓上にはロックピン孔に対応する凹部を備える。少なくとも二つのロックピンは、本体のロックピン孔内に挿入し、並びに、ロックピン孔内で回転させ、ロックピン上には窪んだ形態の切欠溝を設けてロック栓の凹部に対応させる。ロックピンが切欠溝まで回転しロック栓の凹部に完全に対応した時、ロック栓はロックピンによって制止されなくなる。また、ロックピンが切欠溝まで回転し、ロック栓の凹部に完全に対応しない時、該ロック栓の凹部内面はロックピンによって制止される。尚、該ロックピン上には本体の外側に露出する指示標記を設け、切欠溝の方向を指示する。そのうち、前記各構成要素の形状はニーズに応じて調整を加えて製造可能である。
【００１０】
本考案はさらにロック部品を備える。該ロック部品にはロック孔を設け、ロック栓孔が本体を貫通するため、ロック栓はロック栓孔の一端から本体内に挿入し、別の一端から本体の外側に延伸し、尚且つロック孔内に挿入しロックされる。該ロック部品の形態は本体上に一体成形したブロック体であり、ロック部品上には少なくとも一つの貫通孔を設け、該貫通孔はロック栓孔に連通する。または該ロック部品は本体上に一体成形するＬ形の引掛部品である。
【００１１】
さらに、ロックピンはそれに対応する円柱状である。該本体軸方向上には少なくとも一つの固定孔を設置し、ロックピン孔は該固定孔に交差する。並びに、ロックピン上には窪んだ形態の環形溝を設けて固定孔に対応させ、少なくとも一つの固定棒を設置して対応する該固定孔内に挿入する。ロックピンの位置を該本体中に限定し、尚且つロックピンをロックピン孔内で回転させる。そのうち、固定孔は本体の両端を貫通し、尚且つ固定孔は軸方向の断面に沿って凸字形をなして制止部を備える。前記固定棒は相対する凸字形をなし、固定孔内に挿入し、尚且つ制止部によって制止される。また、固定棒の長さは本体の軸方向上の長さより短く、本体の径方向上には本体を貫通する位置限定螺着孔を設置し、該位置限定螺着孔は固定孔に交差する形態で連通する。固定棒を固定孔に挿入した後、位置限定螺着栓を位置限定螺着孔内に螺入すると固定棒は位置限定螺着栓によって制止されて固定孔内に限定される。
【００１２】
さらに、ロックピンの切欠溝内には窪み方向に底面を形成し、該ロックピン上の指示標記は指示線溝またはその他の記号とする。該指示標記と底面に平行する線とによって形成される挟角は、切欠溝の方向を指示するのに用いられ、いずれかのロックピン上の指示線溝と底面に平行する線とによって形成される挟角はそれぞれ異なるものである。
【００１３】
さらに、ロック栓の凹部は窪んだ溝か、奥行きの一致する環形溝である。
【００１４】
さらに、前記ロックピン孔及びロックピンは、該ロック栓孔の両側に対応させて設置するか、該ロック栓孔に近い同一側に設置する。
【００１５】
さらに、該本体上に備えた軸方向に垂直する内側方向のホールはロック栓孔に交差して連通し、該ロック栓上にはホールに対応する環状切欠溝を設け、棒体を該ホール内に挿入し、環状切欠溝まで延伸させる。
【考案の効果】
【００１６】
本考案の効果は次のとおりである。
（１）構造が簡単であるため、ロックピンを異なるロックピン孔位置に交換することで、簡単に解錠暗証番号を変えられる。
（２）使用者のニーズに応じて複数組のロックピンを使用し、解錠難度及びロック器具の安全性を向上させることができる。
【図面の簡単な説明】
【００１７】
【図１】本考案の第一実施例の立体分解図である。
【図２Ａ】本考案の第一実施例の立体組立図である。
【図２Ｂ】図２Ａの前面図である。
【図３】ロックピンによってロック栓が制止されていない状態の図２ＢのＡ-Ａ断面図である。
【図４】ロックピンによってロック栓が制止された状態の図３の使用状態図である。
【図５Ａ】ロックピンが固定棒によって位置を限定され、且つロックピン孔内を回転することを示した図２ＢのＢ-Ｂ断面図である。
【図５Ｂ】ロックピンが固定棒によって位置を限定され、且つロックピン孔内を回転することを示した図５ＡのC-C断面図である。
【図６】本考案の指示標記を示す図である。
【図７Ａ】本考案の第一実施例をドア錠に使用した状態を示す図である。
【図７Ｂ】ロックピンによってロック栓が制止されておらず、ドア板が開いた状態の図７Ａの断面図である。
【図７Ｃ】ロックピンによってロック栓を制止され、ドア板が閉じた状態の図７Ａの断面図である。
【図８Ａ】本考案の第二実施例の立体外観図である。
【図８Ｂ】本考案をチェーンロックに使用した場合の第二実施例図である。
【図９Ａ】本考案の第三実施例の立体外観図である。
【図９Ｂ】本考案の第三実施例の使用状態図である。
【図１０】本考案の第四実施例の立体外観図である。
【図１１】本考案の第五実施例の立体分解図である。
【図１２】図１１の組立断面図である。
【図１３】本考案の第六実施例の説明図である。
【図１４】本考案の第七実施例の説明図（１）である。
【図１５】本考案の第七実施例の説明図（２）である。
【図１６Ａ】本考案の第八実施例の立体外観図である。
【図１６Ｂ】本考案の第八実施例の使用状態図である。
【図１７】本考案の第九実施例の立体外観図である。
【図１８Ａ】本考案の第十実施例の立体外観図である。
【図１８Ｂ】本考案の第十実施例の断面図である。
【考案を実施するための形態】
【００１８】
本考案の第一実施例は、図１の分解図と図２Ａ、図２Ｂの組立図に示すとおり、本体1、ロック栓2、二つで一対となる二組の円柱状ロックピン4、二つの固定棒5、及び位置限定螺着栓6によりなる。
【００１９】
本体1に沿って相互に垂直となる軸方向Xと径方向Yを定義すると、本体1の軸方向X上には本体1を貫通するロック栓孔11と、ロック栓孔11上方に位置する二つの固定孔12とを設け、本体1の径方向Y上で且つロック栓孔11に隣接する両側に二つで一対となる二組の円管状之ロックピン孔13を間隔をあけて設置し、該ロックピン孔13はロック栓孔11と固定孔12に交差させる状態で繋がる。前述は、図３、図４、図５Ａ、図５Ｂに示すとおりである。
【００２０】
ロック栓2は、ロック栓孔11の一端から本体1内に挿入し、並びに、ロック栓孔11の別の一端は本体1外に延伸する。図３に示すとおり、ロック栓2上にはロックピン孔13に対応する円弧形溝21を備える。
【００２１】
図３及び図４に示すとおり、二つで一対となる二組の円柱状ロックピン4を本体1のロックピン孔13内に挿入し、並びに、ロックピン孔13内で回転させる。ロックピン4上には窪んだ形態の円弧形切欠溝41を設けてロック栓2の円弧形溝21に対応させる。ロックピン4が円弧形切欠溝41まで回転しロック栓2の円弧形溝21に完全に対応した時、ロック栓2はロックピン4の制止を受けず（図３参照）、ロック栓2は自由に本体1内に挿入するか、本体1から取り出すことができる。また、ロックピン4が円弧形切欠溝41まで回転し、ロック栓2の円弧形溝21に完全に対応しなくなった時、該ロック栓2の円弧形溝21内面はロックピン4の制止を受け（図４参照）、ロック栓2を本体1内に定位させて、施錠状態となる。
【００２２】
図５Ａ及び図５Ｂに示すとおり、ロックピン4上には窪んだ形態の環形溝43を設置し、本体1の固定孔12に対応させ、並びに、二つの固定棒5をそれぞれ固定孔12内に挿入する。これにより、ロックピン4の位置を本体1内に限定し、並びに、ロックピン4を該ロックピン孔13内で回転させる。本実施例において、固定孔12は本体1の両端を貫通し、尚且つ固定孔12は軸方向の断面に沿って凸字形をなして制止部121を備える。前記固定棒5は相対する凸字形をなし、固定孔12内に挿入し、尚且つ制止部121によって制止される。また、固定棒5の長さは本体1の軸方向上の長さより短く、本体1の径方向上には本体１を貫通する位置限定螺着孔14を設置し、該位置限定螺着孔14は固定孔12に交差する形態で繋がる。固定棒5を固定孔12に挿入した後、位置限定螺着栓6を位置限定螺着孔14内に螺着すると固定棒5の位置は固定孔12内に限定される。尚、位置限定螺着栓6はロック栓2に影響を及ぼさない長さとしなければならない。また、本体1上の該軸方向に垂直となるように内側に窪んだ形態に設けたホール15はロック栓孔11に交差するよう繋がり、本体1の径方向上に二つの定位螺着孔16を設置する。該定位螺着孔16は本体1を使用する暗証番号錠の物品上に固定するのに用いられる。
【００２３】
さらに、図６に示すとおり、ロックピン4の円弧形切欠溝41内には窪み方向に底面411を形成し、該ロックピン4上には本体1の外側に露出する指示標記を設ける。該指示標記は指示線溝42とし、合計四つのロックピン4上の指示線溝42と底面411に平行する線とがそれぞれ挟角θ1、θ2、θ3、θ4を形成し、円弧形切欠溝41の方向を指示するのに用いられ、使用者は該円弧形切欠溝41の方向を識別し調整して、前記ロック栓2の解錠または施錠を行うことができ、尚且つそれぞれ異なる挟角θ1、θ2、θ3、θ4によって暗証番号錠構造が構成される。これにより、前記構造を通して、使用者は位置限定螺着栓6を取り出した後、さらに尖った物で固定棒5を固定孔12内から取り出し、並びにロックピン孔13位置を別の位置に変えると、暗証番号錠を解錠暗証番号に変更する効果を発揮する。販売店での販売時には、ロックピン4を多数組をワンセットにしたロックピン4として販売することも可能であり、使用者が解錠暗証番号を忘れてしまった場合は、販売店提供の組別ヒントを用いて暗証番号を解除できる。
【００２４】
図７Ａに示すとおり、本考案をドア錠の用途に使用する場合は、前記本体1はねじを（該部分は一般のねじで物品を螺着する形態である故、図面には該部分のねじは未図示である）ドア板Ａ1に貫通させ定位螺着孔16と位置限定螺着孔14内に螺入する。該位置限定螺着栓6はロック栓2の運動を妨げないように長さを比較的短くし、該位置限定螺着孔14は一部分に奥行きがあるため、ねじを螺入するのに用い（図５Ｂ参照）、前記定位螺着孔16にねじを螺入する際の定位効果を補助し、これにより、本体1をドア板Ａ1上に固定する。さらに、前述の説明に基づき、図７Ｂ及び図７Ｃに示すとおり、ドア板Ａ1をドア板Ａ1の一つのドアフレームＡ2上に施錠するか、ドアフレームＡ2上から解錠する目的を達成する。
【００２５】
本考案の第二実施例は図８Ａ及び図８Ｂに示すとおりであり、次に、第一実施例と異なる点を説明する。
【００２６】
本実施例はロック部品3Aを備える。該ロック部品3Ａは本体1上に一体成形したブロック体であり、該ロック部品3A上にはロック孔31Aを設け、ロック栓2は本体1を貫通した後、ロック孔31A内に挿入し、且つロック部品3A上には少なくとも一つの貫通孔32Aを設置し、該貫通孔32Aはロック栓孔11に連通する。
【００２７】
使用時は、チェーンロックBのどちらか一端を別の一端に引き掛け、さらに、チェーンロックBをロック部品3Aの貫通孔32Aからロック部品3A内に挿入し、ロック栓2をチェーンロックBに貫通し、ロック栓2をロック部品3Aのロック孔31Aに挿入し、チェーンロックBの両端をロックする。
【００２８】
本考案の第三実施例は図９Ａに示すとおりである。次に、第一実施例と異なる点を説明する。
【００２９】
本実施例は、ロック部品3Bを含み、該ロック部品3Bは、本体1上に一体成形するL型の引掛部品である。該ロック部品3B上にはロック孔31Bを設け、ロック栓2は本体1を貫通後、ロック孔31Bに挿入される。
【００３０】
図９に示すとおり、本考案は掛金片Dと掛金リングEのドア錠として使用する。該掛金片Dに掛金リングEを貫通する際、ロック部品3Bを掛金リングE上に嵌合する。並びに、ロック栓2を掛金リングEに貫通後、ロック栓2を螺紋孔31Bに挿入して施錠目的を達成する。
【００３１】
本考案の第四実施例は図１０に示すとおりであり、第一実施例と異なる点を次に説明する。
【００３２】
ロックピン4の長さがロックピン孔13の奥行きより長いため、該ロックピン4は本体1のロックピン孔13内を貫通した後、ロックピン4の一部は本体1外側に突出する。これにより、使用者はロックピン4を簡単に回転させられ、便利な操作が行える。
【００３３】
本考案の第五実施例は図１１及び図１２に示すとおりであり、第一実施例と異なる点を次に説明する。
【００３４】
本実施例はロック栓2Aを含む。該ロック栓2Aは、前記ロックピン孔13及びロックピン4に対応し、奥行きの同じ環形溝21Aを含む。
【００３５】
環形溝21Aによって、ロック栓2Aがロックピン4による制止を受けているかどうかに拘わらず、ロック栓2Aはいずれも回転させられる。よって、使用者本人でない場合は、機械構造によって各構成要素の作動の発生させる音がロックピン4の解錠位置を識別することがなく、安全性に優れる。
【００３６】
本考案の第六実施例は図１３に示すとおりであり、次に、第一実施例と異なる点を説明する。
【００３７】
一対のロックピン4の数量を増加するため、解錠難度を増加し、ロック器具の安全性を高める。尚、本考案の第六実施例には三組のロックピン4を使用する。
【００３８】
本考案の第七実施例は図１４及び図１５に示すとおりである。各実施例では二つで一対となるロックピン4を使用する他、ロックピン孔13及びロックピン4をロック栓孔11に近い同一側に設置してもよく、その使用原理は前述した各実施例と同様とする故、本実施例では説明を省く。
【００３９】
本考案の第八実施例は図１６Ａに示すとおりであり、次に第一実施例と異なる点を説明する。
【００４０】
本実施例はロック栓2Cを含み、該ロック栓2Cには、本体1のロック栓孔11に挿入後、一断面がロック栓孔11の直径を超え、本体１の外側に露出するロック部21Cを含む。
【００４１】
図１６Ｂに示すとおり、本考案は掛金片Dと掛金リングEのドア錠として使用したもので、掛金片Dに掛金リングEを貫通する際、ロック栓2Cを掛金リングEに嵌合し、さらに本体1内に挿入してロックし、施錠目的を達成する。
【００４２】
本考案の第九実施例は図１７に示すとおりであり、次に第一実施例と異なる点は、別の形態のロック栓2Dを本体1のロック栓孔11内に挿入する点にある。
【００４３】
本考案の第十実施例は図１８Ａ及び図１８Ｂに示すとおりであり、次に、第一実施例と異なる点を説明する。
【００４４】
前記本体1上に該軸方向に対して垂直に設けた内側方向のホール15は、ロック栓孔11に交差して連通する。また、本実施例は、ロック栓2Eを含み、該ロック栓2Eは、ロックピン孔13及びロックピン4に対応する円弧形溝21Eと、ホール15に対応する環状切欠溝22Eとを含み、棒体7をホール15内に挿入し、且つ環状切欠溝22Eに挿入する。これにより、ロックピン4が解錠位置にあっても、該ロック栓2Eは依然として本体1のロック栓孔11内から取り出すことはできない。
【符号の説明】
【００４５】
1：本体
11：ロック栓孔
12：固定孔
121：制止部
13：ロックピン孔
14：位置限定螺着孔
15：ホール
16：定位螺着孔
2：ロック栓
21：円弧形溝
2A：ロック栓
21A：環形溝
2C：ロック栓
21C：ロック部
2D：ロック栓
2E：ロック栓
21E：円弧形溝
22E：環状切欠溝
3A：ロック部品
31A：ロック孔
32A：貫通孔
3B：ロック部品
31B：ロック孔
4：ロックピン
41：円弧形切欠溝
411：底面
42：指示線溝
43：環形溝
5：固定棒
6：位置限定螺着栓
7：棒体
X：軸方向
Y：径方向
θ1：挟角
θ2：挟角
θ3：挟角
θ4：挟角
A1：ドア板
A2：ドアフレーム
B：チェーンロック
D：掛金片         
E：掛金リング
【図１】
0003182129.tif 000003
【図２Ａ】
0003182129.tif 000004
【図２Ｂ】
0003182129.tif 000005
【図３】
0003182129.tif 000006
【図４】
0003182129.tif 000007
【図５Ａ】
0003182129.tif 000008
【図５Ｂ】
0003182129.tif 000009
【図６】
0003182129.tif 000010
【図７Ａ】
0003182129.tif 000011
【図７Ｂ】
0003182129.tif 000012
【図７Ｃ】
0003182129.tif 000013
【図８Ａ】
0003182129.tif 000014
【図８Ｂ】
0003182129.tif 000015
【図９Ａ】
0003182129.tif 000016
【図９Ｂ】
0003182129.tif 000017
【図１０】
0003182129.tif 000018
【図１１】
0003182129.tif 000019
【図１２】
0003182129.tif 000020
【図１３】
0003182129.tif 000021
【図１４】
0003182129.tif 000022
【図１５】
0003182129.tif 000023
【図１６Ａ】
0003182129.tif 000024
【図１６Ｂ】
0003182129.tif 000025
【図１７】
0003182129.tif 000026
【図１８Ａ】
0003182129.tif 000027
【図１８Ｂ】
0003182129.tif 000028